(57)【特許請求の範囲】
【請求項１】
２個のトランジスタをプッシュプル接続したトランジスタ直列回路と、２個のダイオードのアノード端子とカソード端子を接続したダイオード直列回路とを並列に接続し、その並列回路のトランジスタ同士の接続点とダイオードのアノード端子とカソード端子の接続点間に、インダクタと蛍光灯及び前記トランジスタのベース巻線を直列に接続し、前記並列回路の両端間に印加される電圧に基づいて自励発振により放電管を点灯する自励式インバータ回路部と、
２個のダイオードのアノード端子とカソード端子を接続したダイオード直列回路と、２個のコンデンサを直列に接続したコンデンサ直列回路とを並列に接続し、その並列回路の両端を前記自励式インバータ回路への電源出力とし、一方、前記コンデンサ直列回路のコンデンサ同士の接続点とダイオード直列回路のアノード端間に、カソード端子をコンデンサ同士の接続点側にしてダイオードを並列に接続するとともに、コンデンサ直列回路のコンデンサ同士の接続点を交流電源の一方と接続し、前記ダイオード直列回路のアノード端子とカソード端子の接続点と交流電源の他方とを、電源投入後の所定期間の間交流電源から前記アノード端子とカソード端子の接続点方向へのみ電流を流し、所定期間経過後に両方向へ電流を流すスイッチ手段を介して接続した電源回路部とからなるインバータ点灯装置。
【請求項２】
上記電源回路部の交流電源との接続に代えて、上記ダイオード直列回路のアノード端子とカソード端子の接続点と交流電源の他方とを接続し、コンデンサ直列回路のコンデンサ同士の接続点と交流電源の一方とを、電源投入後の所定期間の間コンデンサ同士の接続点から交流電源方向へのみ電流を流し、所定期間経過後に両方向へ電流を流すスイッチ手段を介して接続した請求項１に記載のインバータ点灯装置。
【請求項３】
上記電源回路部のスイッチ手段と、ダイオード直列回路のアノード端子とカソード端子の接続点間に第２のインダクタを設けるとともに、その第２のインダクタを接続した前記接続点と自励式インバータ回路の並列回路のダイオードのアノード端子とカソード端子の接続点とをコンデンサを介して接続した請求項１または２に記載のインバータ点灯装置。
【請求項４】
上記スイッチ手段をパワーＭＯＳＦＥＴと前記パワーＭＯＳＦＥＴを電源投入後の所定期間経過後に作動させるタイマー回路とで構成した請求項１乃至３のいずれかに記載のインバータ点灯装置。
【請求項５】
上記スイッチ手段を、サイリスタのアノード端子とダイオードのカソード端子とを接続して並列に接続したスイッチ部と、そのスイッチ部のサイリスタを電源投入後の所定期間経過後にオンにするタイマー回路とで構成した請求項１乃至４のいずれかに記載のインバータ点灯装置。
【発明の詳細な説明】
【０００１】
【発明の属する利用分野】
この発明は、予熱を簡単な回路構成でできるようにしたインバータ点灯装置に関するものである。
【０００２】
【従来の技術】
インバータ点灯装置として自励式のインバータ点灯装置がある。
【０００３】
自励式のインバータ装置は、放電管を含む回路自体が発振回路となって点灯するようになっており、例えば、図６に示すように、２個のトランジスタＴ１，Ｔ２をプッシュプル接続したトランジスタ直列回路１と、２個のダイオードＤ１，Ｄ２のアノード端子とカソード端子を接続したダイオード直列回路２とを並列に接続し、その並列に接続した直列回路１，２のＮＰＮトランジスタＴ１，Ｔ２の接続点（エミッタとコレクタ）と、ダイオードＤ１，Ｄ２のアノード端子とカソード端子の接続点間に、インダクタＬ、放電管（蛍光灯）６、ベース巻線Ｎ１，Ｎ２からなる直列回路を接続し、放電管（蛍光灯）６の残りのヒータ端子にコンデンサ５’を接続した構成となっている。
【０００４】
また、このとき、ベース巻線Ｎ１，Ｎ２は、互いに逆位相となるように設けてトランジスタＴ１，Ｔ２のベースに接続することで、電源投入時にどちらかのトランジスタＴ１，Ｔ２に漏れ電流が流れると、ベース巻線Ｎ１，Ｎ２の磁束が変化し、トランジスタＴ１，Ｔ２をオンする電圧が誘起されるようになっている。
【０００５】
そのため、誘起された電圧で、例えばトランジスタＴ１がオンになるとトランジスタＴ２のベース電流は逆位相となってオフとなり、トランジスタＴ１の電流が増加する。このトランジスタＴ１の電流が増加すると、インダクタＬの磁束が飽和し、ベース巻線Ｎ１に誘起される電圧は０となる。その結果、トランジスタＴ１がオフとなってインダクタＬに貯えられていたエネルギーは逆起電力となり、ベース巻線Ｎ２に現れてトランジスタＴ２がオンになる。
【０００６】
このように、トランジスタＴ２がオンになると、ベース電流は逆位相となるので、今度はトランジスタＴ１がオフとなり、トランジスタＴ２の電流が増加する。この増加によってインダクタＬの磁束が飽和すると、ベース巻線Ｎ１に誘起される電圧は０となり、トランジスタＴ２はオフとなる。
【０００７】
このようにして、トランジスタＴ１とＴ２とがオンとオフを繰り返すことで発振するようになっており、このような仕組みから発振周波数は印加電圧によって決まる。
【０００８】
そのため、この自励式インバータ回路１０に電圧を印加する電源回路部に工夫を加えることで容易に予熱回路を構成して蛍光灯６の黒化を防ぐことができる。
【０００９】
例えば、図６に示すように（特開２０００−２３７９１号公報参照）、整流回路Ｂと自励式インバータ回路１０との間に、昇圧用コンバータＩＣ回路ｃｏｎを設け、電源投入時にタイマー回路ｐで昇圧用のコンバータＩＣ回路ｃｏｎの動作を遅らせ、その間に自励式インバータ回路１０に整流電圧を直接印加して、印加される低圧の整流電圧で自励式インバータ回路Ｉを予熱発振させる。
【００１０】
こうして蛍光灯６をＤＣ点灯から数秒かけてＡＣ点灯に移行させることで、予熱を行うというものである。
【００１１】
【発明が解決しようとする課題】
しかしながら、上記の昇圧用コンバータＩＣ回路を用いたものでは、ＩＣ回路を用いているので安定した点灯回路を比較的簡単に構成できるが、コストをより安く、また、故障などをより起こしにくくするためには、昇圧用コンバータ回路などの特別な部品を用いずに、一般的な部品を用いて、より、シンプルな回路で予熱を行えるようにすることが課題となっている。
【００１２】
そこで、この発明の課題は、自励式インバータ装置をシンプルな回路構成で予熱の行えるようにすることである。
【００１３】
【課題を解決するための手段】
上記の課題を解決するため、この発明では、２個のトランジスタをプッシュプル接続したトランジスタ直列回路と、２個のダイオードのアノード端子とカソード端子を接続したダイオード直列回路とを並列に接続し、その並列回路のトランジスタ同士の接続点とダイオードのアノード端子とカソード端子の接続点間に、インダクタと蛍光灯及び前記トランジスタのベース巻線を直列に接続し、前記並列回路の両端間に印加される電圧に基づいて自励発振により放電管を点灯する自励式インバータ回路部と、２個のダイオードのアノード端子とカソード端子を接続したダイオード直列回路と、２個のコンデンサを直列に接続したコンデンサ直列回路とを並列に接続し、その並列回路の両端を前記自励式インバータ回路への電源出力とし、一方、前記コンデンサ直列回路のコンデンサ同士の接続点とダイオード直列回路のアノード端間に、カソード端子をコンデンサ同士の接続点側にしてダイオードを並列に接続するとともに、コンデンサ直列回路のコンデンサ同士の接続点を交流電源の一方と接続し、前記ダイオード直列回路のアノード端子とカソード端子の接続点と交流電源の他方とを、電源投入後の所定期間の間交流電源から前記アノード端子とカソード端子の接続点方向へのみ電流を流し、所定期間経過後に両方向へ電流を流すスイッチ手段を介して接続した電源回路部とからなる構成を採用したのである。
【００１４】
このような構成を採用したことにより、電源投入時にスイッチ手段を介してダイオード直列回路のアノード端子とカソード端子とを接続した接続点へ交流の半波が入力すると、ダイオード直列回路の一方のダイオード→自励式インバータ回路部→コンデンサに並列に接続されたダイオードを介して交流電源へ流れ、前記接続点と接続されたコンデンサ直列回路の２個のコンデンサの一方が充電される。そのため、自励式インバータ回路部には交流の振幅分の電圧が印加される。
【００１５】
一方、所定期間経過後にスイッチ手段が交流の両波を入力するようになると、逆極性の半波は、先の半波と極性が逆なので、他方のコンデンサ→ダイオード直列回路のダイオード→交流電源と流れて、コンデンサ直列回路の他方のコンデンサを充電する。
【００１６】
このため、充電されたコンデンサによって、自励式インバータ回路部には、交流振幅の倍の電圧が印加される。
【００１７】
このようにスイッチ手段によって自励式インバータ回路部への印加電圧を倍に変えることができるので、自励式インバータ回路部の発振周波数を変化させて、等倍の電圧で予熱発振を行い、倍電圧で点灯させるようにすればよい。
【００１８】
このとき、上記電源回路部の交流電源との接続に代えて、上記ダイオード直列回路のアノード端子とカソード端子の接続点と交流電源の他方とを接続し、コンデンサ直列回路のコンデンサ同士の接続点と交流電源の一方とを、電源投入後の所定期間の間コンデンサ同士の接続点から交流電源方向へのみ電流を流し、所定期間経過後に両方向へ電流を流すスイッチ手段を介して接続した構成を採用することができる。
【００１９】
このような構成を採用したことにより、電源投入時に交流の半波が、ダイオード直列回路の一方のダイオード→自励式インバータ回路部→コンデンサと並列に接続されたダイオードを介して流れ、コンデンサ直列回路の一方が充電され、交流の振幅分の電圧が自励式インバータ回路部に印加される。
【００２０】
そして、所定期間経過後に両波が入力すると、逆極性の半波が、他方のコンデンサ→ダイオード直列回路のダイオード→交流電源と流れて、コンデンサ直列回路の他方のコンデンサを充電するので、充電されたコンデンサによってインバータ回路部に倍の電圧を供給することができる。
【００２１】
また、このとき、上記電源回路部のスイッチ手段と、ダイオード直列回路のアノード端子とカソード端子の接続点間に第２のインダクタを設けるとともに、その第２のインダクタを接続した前記接続点と自励式インバータ回路の並列回路のダイオードのアノード端子とカソード端子の接続点とをコンデンサを介して接続した構成を採用することにより、スイッチ手段とダイオード直列回路のアノード端子とカソード端子の接続点間に設けられた第２のインダクタは、交流電源で励磁されることになり、交流電源の極性が切り替わる際に、保持したエネルギーをコンデンサを介してインバータ回路へ供給することで、電源の力率を向上させることができる。
【００２２】
さらに、このとき、上記スイッチ手段をパワーＭＯＳＦＥＴと前記パワーＭＯＳＦＥＴを電源投入後の所定期間経過後に作動させるタイマー回路とで構成すれば、点灯時にタイマー回路がパワーＭＯＳＦＥＴをオフにして、内蔵のフライホイールダイオードが交流の半波を通過させる。また、タイマー回路が予熱後にパワーＭＯＳＦＥＴをオンにすれば、両波を通過させることができる。
【００２３】
また、このとき、上記スイッチ手段を、サイリスタのアノード端子とダイオードのカソード端子とを接続して並列に接続したスイッチ部と、そのスイッチ部のサイリスタを電源投入後の所定期間経過後にオンにするタイマー回路とで構成すると、点灯時にタイマー回路でサイリスタをオフにしておけば、サイリスタと並列に接続したダイオードが導通して交流の半波を通過させることができる。また、予熱後は、タイマー回路がサイリスタをオンにすれば、ダイオードと点弧したサイリスタで両波を通過させることができる。
【００２４】
【発明の実施の形態】
以下、この発明の実施の形態を図面に基づいて説明する。
【００２５】
図１に示すように、この形態のインバータ点灯装置は、自励式インバータ回路部１０と電源回路部１１とで構成されている。
【００２６】
自励式インバータ回路部１０は、前述した従来例で述べたものと同じもので、プッシュプル接続したＮＰＮトランジスタＴ１，Ｔ２のエミッタとコレクタの接続点と、ダイオード直列回路２のアノード端子Ａとカソード端子Ｋの接続点間に、インダクタＬ、蛍光灯６、ベース巻線Ｎ１，Ｎ２からなる直列回路を接続し、蛍光灯６の残りのヒータ端子にコンデンサ５’を接続した構成となっている。
【００２７】
また、前記ベース巻線Ｎ１，Ｎ２は互いに逆位相となるように設けてトランジスタＴ１，Ｔ２のベースに接続してあり、電源投入時にどちらかのトランジスタＴ１，Ｔ２に漏れ電流が流れると、ベース巻線Ｎ１，Ｎ２の磁束が変化し、残りのトランジスタＴ１，Ｔ２をオンするようになっている。
【００２８】
電源回路部１１は、２個のダイオードＤ４，Ｄ６で構成されるダイオード直列回路１２と、２個のコンデンサＣ１，Ｃ２で構成されるコンデンサ直列回路１３と、ダイオードＤ５及びスイッチ手段１４で構成されている。
【００２９】
ダイオード直列回路１２は、２個のダイオードＤ４，Ｄ６のアノード端子Ａとカソード端子Ｋを接続したものである。また、コンデンサ直列回路１３は、２個のコンデンサＣ１，Ｃ２の一端同士を接続したものである。
【００３０】
両直列回路１２，１３は並列に接続されており、並列回路の両端を自励式インバータ回路部１０と接続し、インバータ回路部１０への電源出力としてある。
【００３１】
さらに、コンデンサ直列回路１３のコンデンサ同士の接続点と、ダイオード直列回路１２の両端のアノード端との間に、カソード側をコンデンサ同士の接続点と接続したダイオードＤ５を接続してある。
【００３２】
ちなみに、この形態では、ダイオード直列回路Ｄ３，Ｄ６と、ダイオードＤ５とを、既製のダイオードブリッジ素子Ｄ３〜Ｄ６を用いて構成したもので、ダイオードＤ３は、回路上では別段必要としないものである。
【００３３】
また、この並列回路のコンデンサ直列回路１３のコンデンサＣ１，Ｃ２の接続点を交流入力の一方と接続するとともに（この形態ではフィルタ回路を介して）、交流入力の他方をスイッチ手段１４を介してダイオード直列回路１２のアノード端子Ａとカソード端子Ｋの接続点に接続してある。
【００３４】
スイッチ手段１４は、この形態の場合、ＮｃｈパワーＭＯＳＦＥＴ１８とタイマー回路１９とで構成したもので、図１に示すように、パワーＭＯＳＦＥＴ１８のドレインｄをダイオード直列回路１２のアノード端子Ａとカソード端子Ｋの接続点に接続し、ソースｓを交流入力に接続してある。
【００３５】
このパワーＭＯＳＦＥＴ１８は、図１のようにソースｓ−ドレインｄ間に内蔵（保護用）ダイオードＤ７が設けられており、内蔵ダイオードＤ７はアノードＡ側をソースｓ側にしてＭＯＳＦＥＴ１８と並列に接続されている。そのため、ＭＯＳＦＥＴ１８のオン・オフに関わらず、カソード側からドレイン側へ電流を流せるようになっている。
【００３６】
また、パワーＭＯＳＦＥＴ１８のゲートｑには、タイマー回路１９が接続されている。
【００３７】
タイマー回路１９は、タイマーコンデンサＣ３を使ったもので、図１のように、交流入力端子間にダイオードＤ８と分圧抵抗Ｒ１，Ｒ２を設け、その分圧抵抗Ｒ１，Ｒ２の接続点にタイマーコンデンサＣ３を並列に接続してパワーＭＯＳＦＥＴ１８のゲートｑに接続するようになっている。
【００３８】
なお、符号２０はフィルタ回路である。
【００３９】
この形態は、上記のように構成されており、この点灯装置では、電源投入時に、タイマー回路１９のタイマーコンデンサＣ３は充電されておらず、コンデンサＣ３の電圧は「０」である。そのため、前記コンデンサＣ３に接続されたパワーＭＯＳＦＥＴ１８のゲートｑ電圧も「０」で、パワーＭＯＳＦＥＴ１８はオフである。その結果、図２（ａ）の矢印（実線）に示すように、交流の負の半波は、内蔵ダイオードＤ７→ダイオードＤ４→コンデンサＣ１→交流電源と流れ、コンデンサＣ１を図２の極性で充電する。そのため、コンデンサＣ１の電圧は交流の振幅電圧となり、コンデンサＣ１から、コンデンサＣ１→インバータ回路部１０→ダイオードＤ５→コンデンサＣ１と電流が流れ、インバータ回路部１０への供給電圧も交流の振幅電圧となる。
【００４０】
このとき、振幅電圧の印加されたインバータ回路１０は発振を開始するが、このときの発振周波数は、印加電圧が交流の振幅電圧なので点灯電圧より低く蛍光灯６は放電しないため、高くなり、蛍光灯６のヒータを加熱する。
【００４１】
こののち、タイマー回路１９のタイマーコンデンサＣ３が分圧抵抗Ｒ１，Ｒ２により充電されて電圧が上昇し、上昇した電圧がパワーＭＯＳＦＥＴ１８のスレッショルド電圧を超えてパワーＭＯＳＦＥＴ１８をオンにすると、図２に示すように、正の半波（破線の矢印）が回路に流れることになる。
【００４２】
この正の半波は、図２（ａ）に示すように、交流電源→コンデンサＣ２→ダイオードＤ６→パワーＭＯＳＦＥＴ１８→交流電源と流れ、コンデンサＣ２を図２の極性で充電する。そのため、充電されたコンデンサＣ２から、コンデンサＣ２→コンデンサＣ１→インバータ回路部１０→コンデンサＣ２と電流が流れ、インバータ回路部１０への印加電圧は、コンデンサＣ１とＣ２とをプラスした電圧、すなわち、交流振幅の倍の電圧となる。
【００４３】
その結果、図２（ｂ）に示すように、上昇した電圧によりインバータ回路１０の蛍光灯６は放電電圧に達すると放電を開始して点灯し、発振周波数も下がる。
【００４４】
このように、この点灯回路では、昇圧用のコンバータＩＣ回路などを使わずにシンプルな回路構成で予熱が行えるので、コストの低減も容易である。
【００４５】
このとき、予熱時間ｔ１は、タイマー回路１９の分圧抵抗Ｒ１，Ｒ２とタイマーコンデンサＣ３の時定数を変えれば簡単に設定できる。特に、スイッチ手段にＭＯＳＦＥＴ１８を用いた場合は、ゲートｑに殆ど電流が流れないため、予熱時間を正確に決めることができ、その設定も容易にできる。
【００４６】
図３に第２実施形態として、第１実施形態の力率を改善したものを示す。
【００４７】
すなわち、この形態のものは、図３に示すように、電源回路部１１のスイッチ手段１４と、ダイオード直列回路１２のアノード端子Ａとカソード端子Ｋの接続点間に第２のインダクタＬ’を設けている。
【００４８】
また、その第２のインダクタＬ’を接続した前記接続点と自励式インバータ回路部１０のダイオード直列回路２のアノード端子とカソード端子の接続点間に充放電コンデンサＣ４を接続している。
【００４９】
このようにすることにより、例えば、トランジスタＴ２がオンの場合は、交流電源→第２のインダクタＬ’→充放電コンデンサＣ４→蛍光灯６→インダクタＬ→ベース巻線Ｎ１，Ｎ２→トランジスタＴ２→ダイオードＤ５→交流電源という経路で電流が流れ、コンデンサＣ４が充電されるとともに、第２のインダクタＬ’が励磁される。
【００５０】
そのため、トランジスタＴ２がオフとなると、励磁された第２のインダクタＬ’に誘導電流が発生し、図３の矢印（実線）のように、第２のインダクタＬ’→ダイオードＤ４→コンデンサＣ１→交流電源→第２のインダクタＬ’という経路で電流が流れる。
【００５１】
同様に、トランジスタＴ１がオンの場合は、交流電源→ダイオードＤ３→トランジスタＴ１→ベース巻線Ｎ１，Ｎ２→インダクタＬ→蛍光灯６→充放電コンデンサＣ４→第２のインダクタＬ’→交流電源という経路で電流が流れ、コンデンサＣ４が充電されるとともに、第２のインダクタＬ’が励磁される。
【００５２】
そのため、トランジスタＴ１がオフとなると、図３の矢印（破線）のように、励磁された第２のインダクタＬ’に誘導電流が発生し、第２のインダクタＬ’→交流電源→コンデンサＣ２→ダイオードＤ６→第２のインダクタＬ’という経路で電流が流れる。
【００５３】
このように、第２のインダクタＬ’を設けたことにより、コンデンサＣ１，Ｃ２には常に電流が流れることとなり、入力の力率を高くすることができる。
【００５４】
なお、コンデンサＣ５，Ｃ６は保護用コンデンサであり、コンデンサＣ６とインダクタＬｆは、発振周波数の電流が電源へ流出するのを防ぐために設けたものである。
【００５５】
図４に第３実施形態として、スイッチ手段１４のパワーＭＯＳＦＥＴ１８に代えて、サイリスタ２０を用いたものを示す。
【００５６】
すなわち、この形態では、サイリスタ２０のアノード端子ＡにダイオードＤ９のカソード端子Ｋを接続し、サイリスタ２０にダイオードＤ９を並列に接続することにより、サイリスタのオン・オフに関わらずサイリスタ２０のカソードＫ側からアノードＡ側へ電流が流せるようになっている。
【００５７】
また、サイリスタのゲートｑには、ツェナーダイオード２１を使ったトリガ回路が設けられており、トリガ回路は、タイマーコンデンサＣ３の電圧がツェナー電圧Ｖｚを超えるとサイリスタ２０をオンにするようになっている。
【００５８】
他の構成及び作用については第２実施形態と同じなので、説明は省略する。
【００５９】
このようにしたことにより、コストの安いサイリスタ２０でスイッチ手段１４を構成できるので、インバータ点灯装置のコストも下げられる。
【００６０】
図５に第４実施形態を示す。
【００６１】
この形態は、電源回路部１１の他の態様を示したもので、図５のように、スイッチ手段１４のダイオードＤ７の向きが第１〜第３実施形態のものと逆になったものである。
【００６２】
そのため、スイッチ手段１４をコンデンサ直列回路１３のコンデンサ同士の接続点と交流電源の間に設けてある。
【００６３】
このように構成される電源回路部１１では、電源投入時に正の半波が、交流電源→ダイオードＤ４→コンデンサＣ１→ダイオードＤ７→交流電源と流れて（実線の矢印）コンデンサＣ１を充電する。
【００６４】
そのため、充電されたコンデンサＣ１の電圧は、交流の振幅電圧となり、コンデンサＣ１から、コンデンサＣ１→インバータ回路部１０→ダイオードＤ５→コンデンサＣ１と電流が流れ、インバータ回路部１０への供給電圧も交流の振幅電圧となる。
【００６５】
また、スイッチ手段が作動して、両方向の電流が回路に流れると、負の半波が、交流電源→スイッチ手段１４→コンデンサＣ２→ダイオードＤ５→交流電源と流れて（破線の矢印）コンデンサＣ２を充電し、インバータ回路部１０への印加電圧は倍の電圧となる。
【００６６】
このように、第１実施形態と同様に、予熱電圧と点灯電圧を供給することができる。
【００６７】
なお、実施形態では、スイッチ手段にＭＯＳＦＥＴやサイリスタなど、片方向スイッチ素子とダイオードを用いたものを示したが、これに限定されるものではなく、例えば、トライアックなどの両方向スイッチ素子を用いるようにしても良いことは明白である。
【００６８】
【発明の効果】
この発明は、以上のように構成したことにより、自励式インバータ装置をシンプルな回路構成で予熱の行えるようにできる。そのため、よりコストを安く、また、故障などをより起こしにくくできる。
【図面の簡単な説明】
【図１】第１実施形態の回路図
【図２】（ａ），（ｂ）第１実施形態の作用説明図
【図３】第２実施形態の回路図
【図４】第３実施形態の回路図
【図５】第４実施形態の回路図
【図６】従来例の回路図
【符号の説明】
６  蛍光灯
１０  自励式インバータ回路部
１１  電源回路部
１２  ダイオード直列回路
１３  コンデンサ直列回路
１４  スイッチ手段
１８  パワーＭＯＳＦＥＴ
１９  タイマー回路
２０  サイリスタ
Ａ  アノード
Ｃ１  コンデンサ
Ｃ２  コンデンサ
Ｃ３  タイマーコンデンサ
Ｃ４  充放電コンデンサ
Ｋ  カソード
Ｌ    インダクタ
Ｌ’  第１のインダクタ
Ｎ１  ベース巻線
Ｎ２  ベース巻線
Ｔ１  トランジスタ
Ｔ２  トランジスタ
Ｄ１〜Ｄ９  ダイオード
【図１】
0004695775.tif 000002
【図２】
0004695775.tif 000003
【図３】
0004695775.tif 000004
【図４】
0004695775.tif 000005
【図５】
0004695775.tif 000006
【図６】
0004695775.tif 000007